(57)【要約】【課題】レンズの位置ずれを抑制すること。【解決手段】実施形態に係る面状照明装置は、複数の点光源が格子状に実装される主面を有する基板と、短手方向の配列向きに並ぶ複数の点光源を単体で覆い、長手方向に沿って並列して設けられる複数のレンズと、基板と複数のレンズとを収容するフレームと、フレームの天板と前記レンズとの間に設けられ、レンズを天板側から押圧する弾性部材とを備える。【選択図】図２
2019109995.tif 000002
【特許請求の範囲】
【請求項１】
複数の点光源が格子状に実装される主面を有する基板と、
短手方向の配列向きに並ぶ複数の前記点光源を単体で覆い、長手方向に沿って並列して設けられる複数のレンズと、
前記基板と前記複数のレンズとを収容するフレームと、
前記フレームの天板と前記レンズとの間に設けられ、前記レンズを前記天板側から押圧する弾性部材と
を備える面状照明装置。
【請求項２】
前記基板は、
前記主面に複数の孔部を有し、
前記レンズは、
前記基板と対向する主面から基板に向かって突出し、前記孔部に挿入する第１脚部を有する
請求項１に記載の面状照明装置。
【請求項３】
前記レンズは、
前記第１脚部よりも短い第２脚部を有し、前記第２脚部が前記基板に当接する
請求項２に記載の面状照明装置。
【請求項４】
前記レンズは、
複数の前記第１脚部を有し、
前記基板は、
前記複数の前記第１脚部に対応する複数の前記孔部を有し、前記複数の前記孔部のうち、少なくとも一つは対応する前記第１脚部が嵌合して挿入され、他の少なくとも一つは対応する前記第１脚部が離間して挿入される
請求項２または３に記載の面状照明装置。
【請求項５】
前記レンズは、
前記レンズと前記レンズから出射した光を拡散する拡散板との間に配置され、前記レンズと前記拡散板との距離を規定するスペーサを介して前記天板側から押圧される
請求項１〜４のいずれか一つに記載の面状照明装置。
【請求項６】
前記拡散板上に配置され、上面視において前記拡散板よりも小さい光学シート
をさらに備え、
前記弾性部材は、
前記拡散板と前記天板との間に配置され、前記光学シートの主面を避けて配置される
請求項５に記載の面状照明装置。
【請求項７】
前記拡散板上に配置される光学シート
をさらに備え、
前記弾性部材は、
前記光学シートを介して前記拡散板を押圧する
請求項５に記載の面状照明装置。
【請求項８】
前記拡散板は、
前記レンズ側に突出した突出部を有し、当該突出部が前記スペーサの一部または全てを兼ねる
請求項５、６または７に記載の面状照明装置。
【請求項９】
前記弾性部材は、
前記スペーサの一部または全てを兼ねる
請求項５に記載の面状照明装置。
【請求項１０】
前記弾性部材は、
前記レンズと前記スペーサとの間に配置される
請求項９に記載の面状照明装置。
【請求項１１】
前記拡散板は、
前記スペーサと一体に形成される
請求項５に記載の面状照明装置。
【発明の詳細な説明】
【技術分野】
【０００１】
本発明は、面状照明装置に関する。
【背景技術】
【０００２】
近年、液晶表示装置の表示パネルを背面側から照明する面状照明装置がある。面状照明装置は、エッジライト型と、直下型とに大別される。また、面状照明装置においては、各点光源の光量をそれぞれ制御することによって、発光面の領域毎に輝度を調整することが可能である、いわゆるローカルディミング（エリア発光）対応の面状照明装置が知られている。
【０００３】
かかる面状照明装置では、点光源から出射された光を拡散するレンズを有し、かかるレンズは、点光源に対する設置位置を予め規定して設計される。このため、面状照明装置の組み立て後に、レンズの位置がずれるとローカルディミング等を再現することができない。
【先行技術文献】
【特許文献】
【０００４】
【特許文献１】特開２０１０−８８３７号公報
【発明の概要】
【発明が解決しようとする課題】
【０００５】
しかしながら、従来の面状照明装置では、例えば、レンズを接着剤等を用いて固定する場合、レンズの位置がずれたり、あるいは、落下したりする恐れがある。特に、面状照明装置が、車両に搭載される場合、車内では振動や高温等の劣悪な状況となるため、レンズを強固に固定することが求められる。
【０００６】
本発明は、上記に鑑みてなされたものであって、レンズの位置ずれを抑制することができる面状照明装置を提供することを目的とする。
【課題を解決するための手段】
【０００７】
上述した課題を解決し、目的を達成するために、本発明の一態様に係る面状照明装置は、複数の点光源が格子状に実装される主面を有する基板と、短手方向の配列向きに並ぶ複数の前記点光源を単体で覆い、長手方向に沿って並列して設けられる複数のレンズと、前記基板と前記複数のレンズとを収容するフレームと、前記フレームの天板と前記レンズとの間に設けられ、前記レンズを前記天板側から押圧する弾性部材とを備える。
【発明の効果】
【０００８】
本発明の一態様によれば、レンズの位置ずれを抑制することができる。
【図面の簡単な説明】
【０００９】
【図１】図１は、実施形態に係る面状照明装置の外観の一例を示す上面図である。
【図２】図２は、実施形態に係るレンズの配置例を示す上面図である。
【図３Ａ】図３Ａは、図１に示すＡ−Ａ線に沿った断面模式図（その１）である。
【図３Ｂ】図３Ｂは、図１に示すＡ−Ａ線に沿った断面模式図（その２）である。
【図４】図４は、実施形態に係るレンズの裏面側の斜視図である。
【図５】図５は、実施形態に係る基板の下面図である。
【図６】図６は、実施形態に係るレンズと基板との固定態様を示す模式図（その１）である。
【図７】図７は、実施形態に係るレンズと基板との固定態様を示す模式図（その２）である。
【図８】図８は、第１の変形例に係る面状照明装置の断面模式図である。
【図９】図９は、第２の変形例に係る面状照明装置の断面模式図である。
【発明を実施するための形態】
【００１０】
以下、実施形態に係る面状照明装置について図面を参照して説明する。なお、以下に示す実施形態によりこの発明が限定されるものではない。また、図面における各要素の寸法の関係、各要素の比率等は、現実と異なる場合がある。また、図面の相互間においても、互いの寸法の関係や比率が異なる部分が含まれている場合がある。
【００１１】
まず、図１を用いて、実施形態に係る面状照明装置の概要について説明する。図１は、実施形態に係る面状照明装置の外観の一例を示す正面図である。本実施形態に係る面状照明装置１は、直下型の面状照明装置であり、各種液晶表示装置のバックライトとして用いられる。かかる液晶表示装置は、例えば、車両の電子スピードメータであるが、これに限定されない。
【００１２】
図１の例に示すように、実施形態に係る面状照明装置１は、フレーム１０で覆われていない出射領域から光を出射する。また、コネクタＣは、電源配線や信号配線等が接続される。すなわち、実施形態に係る面状照明装置１は、コネクタＣを介して電源や信号が供給される。
【００１３】
図２に示すように、実施形態に係るレンズ５０は、格子状に並んだ複数の点光源３０のうち、短手方向（Ｙ軸）に並んだ複数の点光源３０を単体で覆い、長手方向（Ｘ軸）に沿って並列して配置される。レンズ５０は、上面視において矩形状または略矩形状である。本実施形態にかかるレンズ５０は、上面視において、短手方向（Ｙ軸）に平行に延びる辺が長辺で、長手方向（Ｘ軸）に平行な方向に延びる辺が短辺の長方形形状である。
【００１４】
このように、レンズ５０は、短手方向に並ぶ複数の点光源３０を覆うことで、長手方向に並ぶ複数の点光源３０を覆う場合に比べて、レンズ長を短くすることができる。
【００１５】
これは、点光源３０の発熱や、周囲環境温度により、レンズ５０が熱膨張（収縮）するためであり、レンズ５０の熱膨張により点光源３０とレンズ５０との位置ずれが起こることによるレンズ５０の光学特性の低下を抑制するためである。仮に、レンズ５０の単位体積当たりの膨張率が同じであると仮定すると、レンズ長が長いほど、膨張（収縮）する体積が増えるのでレンズ５０が大きく膨張（収縮）する。
【００１６】
また、レンズ５０には、点光源３０の位置を基準にして配光特性が設計される。このため、レンズ５０と点光源３０との位置にズレが生じると、レンズ５０の配光特性が低下する。つまり、実施形態に係るレンズ５０は、比較的レンズ長が短くて済む短手方向に配列した点光源３０を覆うことで、各点光源３０とレンズ５０との位置ずれを抑制する。これにより、レンズ５０の熱膨張（熱収縮）による配光特性の低下を抑制することが可能となる。
【００１７】
また、図２に示すように、レンズ５０は、短手方向に配列した一列の点光源３０を覆う。これにより、レンズ５０の幅（Ｘ軸方向の長さ）を小さくすることができるので、出射領域が湾曲した面状照明装置１に適用することができる。
【００１８】
なお、レンズ５０は、長手方向に沿って点光源３０を覆うようにしてもよく、また、複数の列の点光源３０を覆うようにしてもよい。かかる場合に、レンズ５０の枚数を少なくすることができるので、製造工程を簡略化することができる。
【００１９】
次に、図３Ａおよび図３Ｂを用いて実施形態に係る面状照明装置１の内部構成について説明する。図３Ａおよび図３Ｂは、図１に示すＡ−Ａ線に沿った断面模式図である。図３Ａに示すように、実施形態に係る面状照明装置１は、フレーム１０と、基板２０と、点光源３０と、反射板４０と、レンズ５０と、拡散板６０と、スペーサ７０と、光学シート８０と、弾性部材９０とを備える。
【００２０】
フレーム１０は、剛性が大きい、例えば、ステンレス製の板金フレームであり、面状照明装置１の各部材を収容する。また、フレーム１０は、例えば、上フレーム１１と、下フレーム１２とを備える。
【００２１】
上フレーム１１は、下フレーム１２の上面側に配置される。上フレーム１１は、中央部に開口部が形成された矩形状の天板１１ａと、天板１１ａの周縁から下フレーム１２の外側面に沿って延伸する側壁１１ｂとを有する。下フレーム１２は、矩形状の底部１２ａと、底部１２ａから上フレーム１１の内側面に沿って延伸する側壁１２ｂとを有する。
【００２２】
基板２０は、例えばエポキシ樹脂またはＰＩ（ポリイミド）からなり、複数の点光源３０が格子状に実装される。点光源３０は、例えば、ＬＥＤ（Light  Emitting  Diode）である。点光源３０は、光軸がレンズ５０と略垂直となるように、基板２０上に配置される。
【００２３】
反射板４０は、例えば、樹脂等で形成される。反射板４０は、レンズ５０で反射板４０側に反射した光をレンズ５０に向けて再度反射させる。これにより、出射効率を向上させることが可能である。
【００２４】
レンズ５０は、点光源３０から出射した光の配光制御を行う。レンズ５０は、例えば外形形状が上面視において矩形状または略矩形状に形成される。レンズ５０の材質として、例えばＰＭＭＡ（ポリメチルメタクリレート）やポリカーボネートを用いることができるが、これに限定されない。レンズ５０によって配光制御された光は、拡散板６０に出射される。
【００２５】
拡散板６０は、樹脂等の材料で構成され、レンズ５０から出射された光を拡散する機能を有する。すなわち、レンズ５０から出射した光は、拡散板６０によって拡散され、光学シート８０へ導かれる。
【００２６】
スペーサ７０は、レンズ５０と拡散板６０との間に配置され、レンズ５０と拡散板６０との間隔を一定に保持する。スペーサ７０の材質は特に限定されないが、例えば白色の樹脂で成形し、レンズ５０から出射する光を反射する機能を持たせてもよい。スペーサ７０は、面状照明装置１の長手方向（Ｘ軸）に沿って拡散板６０を下面側から押圧し、かかる長手方向に沿ってレンズ５０を上面側から押圧する。なお、スペーサ７０は、面状照明装置１の短手方向（Ｙ軸）については、必ずしもレンズ５０と拡散板６０との間隔を一定に保持しなくてもよい。
【００２７】
光学シート８０は、拡散板６０から出射された光に対して均一化や配向制御などの光学的な調整を行って、光学的な調整が行われた光を出射する。図３Ａに示す例では、光学シート８０が、第１シート８１と、第２シート８２との２枚のシートで構成される場合について例示している。
【００２８】
例えば、第１シート８１は、ＢＥＦ（Brightness  Enhancement  Film）であり、第２シート８２は、ＤＢＥＦ（Dual  Brightness  Enhancement  Film）であるが、面状照明装置１に求められる発光態様によって任意に変更することが可能である。また、光学シート８０は、例えば、接着剤や両面テープ等の接着部材によって拡散板６０の出射面に固定される。
【００２９】
弾性部材９０は、ゴムやスポンジ等の弾性を有する枠状の部材である。弾性部材９０は、光学シート８０上に設けられ、スペーサ７０とで拡散板６０と光学シート８０とを挟んで保持し、その弾性力でスペーサ７０を介してレンズ５０を押圧する。また、弾性部材９０は、面状照明装置１に振動が生じた場合、かかる振動を吸収する。弾性部材９０は、上フレーム１１と拡散板６０との間に配置され、上フレーム１１の天板１１ａ側から拡散板６０を押圧する。なお、弾性部材９０は枠状に限らず、例えば断面形状が矩形状の棒状の弾性部材を複数本用いるものでもよい。
【００３０】
また、図３Ｂに示すように、弾性部材９０は、光学シート８０の上面を避けて設けられることにしてもよい。具体的には、弾性部材９０は、図３Ｂに示すように、拡散板６０の上面に設置され、天板１１ａによって拡散板６０側に押圧される。また、弾性部材９０の側面に光学シート８０が設置される。かかる場合に、光学シート８０は、上面視において拡散板６０よりも小さく、弾性部材９０は、光学シート８０が拡散板６０を覆っていない領域に設けられる。これにより、面状照明装置１の製造段階や、面状照明装置１に振動が生じた際に、光学シート８０が皺になることを抑制することができる。
【００３１】
続いて、図４を用いて実施形態に係るレンズ５０の裏面側の形状について説明する。図４は、実施形態に係るレンズ５０の裏面５３側の斜視図である。図４に示すように、実施形態に係るレンズ５０は、例えば、２つの第１脚部５５と、第１脚部５５よりも短い第２脚部５６とを備える。
【００３２】
第１脚部５５ａ、５５ｂおよび第２脚部５６は、裏面５３から基板２０に向かって突出する。また、第１脚部５５ａ、５５ｂは、基板２０上でレンズ５０を位置決めするためのものであり、第２脚部５６は、レンズ５０から基板２０までの間隔を一定に保持するためのものである。この点の詳細については、図６を用いて後述する。なお、第１脚部５５ａは、図４に示すよう、段付きの形状としてもよいが、これに限定されない。
【００３３】
続いて、図５を用いて実施形態に係る基板２０の底面２１について説明する。図５は、実施形態に係る基板２０の下面図である。図５に示すように、基板２０は、底面２１に複数の孔部２２を有する。
【００３４】
複数の孔部２２は、それぞれ基板２０を貫通する貫通孔であり、１つのレンズ５０に対して複数の孔部２２を有する。図５に示す例では、１つのレンズ５０に対して第１孔部２２ａと、第２孔部２２ｂとを有する場合について示している。
【００３５】
第１孔部２２ａは、レンズ５０の長手方向（Ｘ軸方向）の略中央に設けられる。第１孔部２２ａには、レンズ５０の長手方向の略中央に設けられた第１脚部５５ａが挿入される。また、第２孔部２２ｂは、レンズ５０の長手方向における一方の端部側に設けられる。第２孔部２２ｂには、レンズ５０の長手方向の一方の端部に設けられた第１脚部５５ｂが挿入される。
【００３６】
図５に示すように、第１孔部２２ａは、略円形状であるのに対して、第２孔部２２ｂは、レンズ５０の長手方向に沿って切り欠いた楕円形状である。この点の詳細については、図７を用いて後述する。
【００３７】
実施形態に係る面状照明装置１において、複数の孔部２２は、それぞれ貫通孔であるので、点光源３０が実装される主面である実装面についても複数の孔部２２が形成されることなる。なお、複数の孔部２２は、貫通孔である必要はなく、実装面から厚み方向に窪んでいればよい。すなわち、複数の孔部２２は、第１脚部５５を固定できる深さで実装面に形成されていればよい。
【００３８】
続いて、図６および図７を用いて実施形態に係るレンズ５０と基板２０の固定態様について説明する。図６および図７は、実施形態に係るレンズ５０と基板２０との固定態様を示す模式図である。
【００３９】
まず、図６を用いてレンズ５０の短手方向（Ｙ軸正方向）から見たレンズ５０と基板２０との固定態様について説明する。図６に示すように、レンズ５０の第１脚部５５ａは、第１孔部２２ａに挿入されることで、レンズ５０が基板２０上で位置決めされる。
【００４０】
また、第１孔部２２ａは、第１脚部５５ａと嵌合するように形成される。また、図６に示すように、第２脚部５６は、基板２０と当接する。すなわち、第１脚部５５ａが基板２０上で位置決めするためのものであるのに対して、第２脚部５６は、基板２０とレンズ５０との距離を一定に保持するためのものである。
【００４１】
このように、実施形態に係る面状照明装置１において、レンズ５０は、第１脚部５５ａにより基板２０上に位置決めされ、第２脚部５６により、基板２０との間隔を一定に保持される。
【００４２】
また、ここでは、図示を省略したが、レンズ５０は、第１脚部５５ａに加え、第１脚部５５ｂ（図４参照）が第２孔部２２ｂ（図５参照）に挿入することによっても基板２０上に固定される。すなわち、レンズ５０は、少なくとも２点で基板２０上で位置決めされる。
【００４３】
これにより、レンズ５０に対する側方（ＸＹ平面方向）からの振動に対して、レンズ５０が基板２０からずれることを回避することができる。仮に、レンズ５０が、１点で基板２０上に位置決めされると、かかる一点を軸としてレンズ５０が基板２０上で回転するおそれがある。このため、実施形態に係る面状照明装置１は、少なくとも２つの第１脚部５５でレンズ５０を基板２０上に固定する。これにより、レンズ５０と基板２０に実装された点光源３０との位置ずれを抑制することができる。
【００４４】
また、図３で既に説明したように、レンズ５０は、上フレーム１１の天板側から弾性部材９０を介して押圧される。これにより、面状照明装置１に対して上下方向（Ｚ軸方向）に生じる振動に対しては、弾性部材９０によって吸収されるので、レンズ５０に対する押圧力を略一定に保持することができる。
【００４５】
つまり、実施形態に係る面状照明装置１において、レンズ５０は、上フレーム１１の天板１１ａ側から弾性部材９０を介して伝わる押圧力によって上面から固定されるとともに、複数の第１脚部５５によって基板２０上に位置決めされるので、レンズ５０の位置ずれを抑制することができる。また、実施形態に係る面状照明装置１において、レンズ５０は、接着剤を用いることなく固定することができる。これにより、接着剤の経年劣化等によるレンズ５０の基板２０からの剥がれや、位置ずれを回避することができる。
【００４６】
次に、図７を用いてレンズ５０の長手方向（Ｘ軸方向）から見たレンズ５０と基板２０との固定態様について説明する。なお、図７では、説明を簡潔にするために、第２脚部５６の記載を省略する。
【００４７】
図７に示すとともに、上述したように、第１脚部５５ａは、第１孔部２２ａに挿入され、第１脚部５５ｂは、第２孔部２２ｂに挿入される。ここで、第１孔部２２ａが第１脚部５５ａと嵌合するのに対して、第２孔部２２ｂは、第１脚部５５ｂの外周よりも広く形成される。すなわち、第２孔部２２ｂに対して第１脚部５５ｂは離間して挿入される。
【００４８】
これは、上述のように、レンズ５０が熱膨張するからである。仮に、第２孔部２２ｂを第１脚部５５ｂと嵌合するように形成した場合、レンズ５０が熱膨張した際に、第１脚部５５ａおよび第１脚部５５ｂの２点に集中して作用する。これにより、レンズ５０の破損や、レンズ５０の形状が変化するおそれがある。
【００４９】
これに対して、実施形態に係る面状照明装置１において、第２孔部２２ｂを第１脚部５５ｂの外周よりも広く形成することで、レンズ５０が熱膨張した際に、第１脚部５５ｂが第２孔部２２ｂの内部を移動するだけで済む。つまり、上記の力が第１脚部５５ａおよび第１脚部５５ｂの２点に集中して作用することを回避することができる。
【００５０】
このように、実施形態に係る面状照明装置１は、第２孔部２２ｂを第１脚部５５ｂの外周よりも広く形成することで、熱膨張によるレンズ５０の破損や変形を回避することができる。言い換えれば、レンズ５０の製品寿命を長くすることができる。なお、ここでは、レンズ５０の熱膨張を例に挙げて説明したが、周囲の温度が低下した際に生じる熱収縮についても同様である。
【００５１】
上述したように、実施形態に係る面状照明装置１において、基板２０は、複数の点光源３０が格子状に実装される主面を有する。複数のレンズ５０は、短手方向の配列向きに並ぶ複数の点光源３０を単体で覆い、長手方向に沿って並列して設けられる。フレーム１０は、基板２０と複数のレンズ５０とを収容する。弾性部材９０は、フレーム１０の天板１１ａとレンズ５０との間に設けられ、レンズ５０を天板側から押圧する。したがって、実施形態に係る面状照明装置１によれば、レンズ５０の位置ずれを抑制することができる。
【００５２】
次に、図８および図９を用いて変形例に係る面状照明装置１Ｂ、１Ｃについて説明する。図８は、第１の変形例に係る面状照明装置１Ｂの断面模式図であり、図１に示すＡ−Ａ線に沿った断面模式図に対応する。
【００５３】
図８に示すように、第１の変形例に係る面状照明装置１Ｂは、上述した面状照明装置１と弾性部材９０およびスペーサ７０の配置が異なる点で相違する。具体的には、第１の変形例に係る面状照明装置１Ｂにおいて、弾性部材９０がスペーサ７０の一部を兼ねる。
【００５４】
図８に示す例では、弾性部材９０が、レンズ５０と拡散板６０との間に配置される。レンズ５０と拡散板６０とは、所定の間隔をあけて配置する必要があり、スペーサ７０は、かかる間隔を一定に保持する役割を担う。
【００５５】
これに対して、第１の変形例に係る面状照明装置１Ｂは、スペーサ７０の一部を弾性部材９０で代用する。これにより、第１の変形例に係る面状照明装置１Ｂにおいて、弾性部材９０は、レンズ５０を上フレーム１１の天板１１ａ側から押圧する役割と、レンズ５０と拡散板６０とのスペースを埋める役割とを一挙に担う。
【００５６】
したがって、図３Ａや図３Ｂに示したように、拡散板６０と天板１１ａとの間のスペーサ７０は、不要となる。つまり、弾性部材９０がスペーサ７０の一部を兼ねることで、拡散板６０上に配置された弾性部材９０の分だけ薄型化することが可能となる。
【００５７】
なお、ここでは、弾性部材９０が、拡散板６０と、スペーサ７０との間に配置される場合について示したが、弾性部材９０をレンズ５０とスペーサ７０との間に配置することにしてもよい。また、スペーサ７０を全て弾性部材９０で構成することにしてもよい。
【００５８】
つまり、弾性部材９０が、スペーサ７０の一部または全てを兼ねるようにしてもよい。なお、ここでは、弾性部材９０がレンズ５０と光学部材として拡散板６０との距離を規定する場合について説明したが、拡散板６０に限られず、弾性部材９０は、レンズ５０と、その他の光学部材との距離を規定することにしてもよい。
【００５９】
また、図８に示すように、第１の変形例においてスペーサ７０は、下フレーム１２の底部１２ａと当接するように配置される。言い換えれば、スペーサ７０は、上フレーム１１の天板１１ａから光学シート８０、拡散板６０および弾性部材９０を介して上面から押圧され、下フレーム１２の底部１２ａによって底面が支持される。
【００６０】
つまり、第１の変形例において、スペーサ７０は、上下方向（Ｚ軸方向）から押圧されるように設けられる。これにより、スペーサ７０の位置ずれを抑制することができるので、スペーサ７０の位置ずれによるレンズ５０の位置ずれを抑制することが可能となる。なお、スペーサ７０の底面は、下フレーム１２の底部１２ａによって底面が支持されていなくてもよい。
【００６１】
続いて、図９を用いて第２の変形例に係る面状照明装置１Ｃについて説明する。図９は、第２の変形例に係る面状照明装置１Ｃの断面模式図であり、図１に示すＡ−Ａ線に沿った断面模式図に対応する。
【００６２】
図９に示すように、第２の変形例に係る面状照明装置１Ｃは、既に説明した面状照明装置１と反射板４０の形状が異なる点で相違する。具体的には、第２の変形例に係る面状照明装置１Ｃにおいて、反射板４０は、上述のスペーサ７０（図３Ａおよび図３Ｂ参照）と一体に成形される。
【００６３】
より詳細には、反射板４０は、基板２０上に固定され、底面から下フレーム１２の側壁１２ｂに沿って上フレーム１１の天板側に延伸し、レンズ５０と拡散板６０との間で所定の厚みを持って面状照明装置１Ｃの内側に突出する突出部４５を有する。
【００６４】
すなわち、第２の変形例に係る面状照明装置１Ｃにおいて、突出部４５がスペーサ７０に対応する。また、突出部４５は、上面から拡散板６０によって押圧され、下面を基板２０によって支持される。
【００６５】
すなわち、第２の変形例に係る面状照明装置１Ｃにおいて、反射板４０とスペーサ７０とを一体に成形することで、スペーサ７０に対応する突出部４５を上下方向から挟み込むように固定することができる。したがって、第２の変形例に係る面状照明装置１Ｃでは、突出部４５に位置ずれが生じにくいので、レンズ５０を強固に固定することができる。
【００６６】
図８や図９に示した例では、弾性部材９０や反射板４０がスペーサ７０の少なくとも一部の機能を兼ねる場合について説明したが、これに限定されるものではない。拡散板６０がスペーサ７０の少なくとも一部の機能を兼ねることにしてもよい。かかる場合に、拡散板６０に、拡散板６０からレンズ５０に向けて突出した突出部を備えることで実現することができる。これにより、スペーサ７０の分だけ部品点数を抑えることができるので、面状照明装置１の組み立てを簡略化することができる。
【００６７】
また、上記実施の形態により本発明が限定されるものではない。上述した各構成素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【００６８】
１、１Ｂ、１Ｃ  面状照明装置、１０  フレーム、２０  基板、２２  孔部、２２ａ  第１孔部、２２ｂ  第２孔部、３０  点光源、４０  反射板、５０  レンズ、５５  第１脚部、５６  第２脚部
【図１】
2019109995.tif 000003
【図２】
2019109995.tif 000004
【図３Ａ】
2019109995.tif 000005
【図３Ｂ】
2019109995.tif 000006
【図４】
2019109995.tif 000007
【図５】
2019109995.tif 000008
【図６】
2019109995.tif 000009
【図７】
2019109995.tif 000010
【図８】
2019109995.tif 000011
【図９】
2019109995.tif 000012